(57)【要約】【課題】粘着シート２を清掃用具から取り外す頻度を少なくでき、便利に使用できるようにした清掃用具を提供する。【解決手段】清掃用具本体１の底面側に装着される複数枚の粘着シート２を積層してなる粘着シート積層体３と、滑りをよくするために粘着シート積層体３の露出した粘着面４の一部を覆うようにした部分カバー材５を有するものとしている。また、粘着シート積層体３を担持し、清掃用具本体１の底面の下側に粘着シート積層体３が位置する態様で清掃用具本体１に固定されるようにした粘着シート積層体担持材７を利用することができる。【選択図】図１
2011245270.tif 000002
【特許請求の範囲】
【請求項１】
清掃用具本体（１）の底面側に装着される複数枚の粘着シート（２）を積層してなる粘着シート積層体（３）と、滑りをよくするために粘着シート積層体（３）の露出した粘着面（４）の一部を覆うようにした部分カバー材（５）を有することを特徴とする清掃用具。
【請求項２】
部分カバー材（５）を粘着シート積層体（３）から引き離すと、１枚目の粘着シート（２）が、露出した粘着面（４）で部分カバー材（５）に接着したまま剥離するようにした請求項１記載の清掃用具。
【請求項３】
粘着シート積層体（３）を担持し、清掃用具本体（１）の底面の下側に粘着シート積層体（３）が位置する態様で請求項１又は２記載の清掃用具本体（１）に固定されるようにした粘着シート積層体担持材。
【請求項４】
粘着シート積層体（３）の周囲の部分が、清掃用具本体（１）の１つの対向する辺側の各上部に回り込んで固定されるようにしている請求項３記載の粘着シート積層体担持材。
【発明の詳細な説明】
【技術分野】
【０００１】
この発明は、塵、糸くず、毛髪などのゴミを粘着シートを利用して除去できるようにした清掃用具に関するものである。
【背景技術】
【０００２】
塵、糸くず、毛髪などのゴミを粘着シートを利用して除去できるようにした清掃用具としては、特許文献１の図２に記載のものがある。
【０００３】
この清掃用具は、粘着シート（清掃布）が弱粘着又は非粘着性の第１面域と、粘着性の第２面域からなり、第２面域でゴミを捕捉でき、また、第１面域により床面に対する滑りがよくなっている。
【０００４】
しかし、粘着シートにゴミが一定量以上付着して使用できなくなったとき、いちいち粘着シートを清掃用具から取り外して新しいものと交換する必要があり、取り扱いが面倒であった。
【先行技術文献】
【特許文献】
【０００５】
【特許文献１】特許第３２３１９９３号公報
【発明の概要】
【発明が解決しようとする課題】
【０００６】
そこで、この発明は、粘着シートを清掃用具から取り外す頻度を少なくでき、便利に使用できるようにした清掃用具を提供することを課題とする。
【課題を解決するための手段】
【０００７】
前記課題を解決するため、この発明は次のような技術的手段を講じている。
【０００８】
本願の清掃用具は、清掃用具本体１の底面側に装着される複数枚の粘着シート２を積層してなる粘着シート積層体３と、滑りをよくするために粘着シート積層体３の露出した粘着面４の一部を覆うようにした部分カバー材５を有するものとしている。
【０００９】
また、部分カバー材５を粘着シート積層体３から引き離すと、１枚目の粘着シート２が、露出した粘着面４で部分カバー材５に接着したまま剥離するようにしたものとすることができる。
【００１０】
本願の粘着シート積層体担持材７は、粘着シート積層体３を担持し、清掃用具本体１の底面の下側に粘着シート積層体３が位置する態様で前記清掃用具本体１に固定されるようにしたものとすることができる。
【００１１】
さらに、粘着シート積層体３の周囲の部分が、清掃用具本体１の１つの対向する辺側の各上部に回り込んで固定されるようにしたものとすることができる。
【発明の効果】
【００１２】
この発明の清掃用具は、上述のような構成を有しており、粘着シート２を清掃用具から取り外す頻度を少なくでき、便利に使用できる。
【図面の簡単な説明】
【００１３】
【図１】この発明の第１実施形態の清掃用具の斜視図（底面側）である。
【図２】この発明の第１実施形態の清掃用具の斜視図（上面側）である。
【図３】粘着シート積層体担持材の分解斜視図である。
【図４】粘着シート積層体担持材の斜視図である。
【図５】この発明の第２実施形態の清掃用具の斜視図（底面側）である。
【図６】この発明の第２実施形態の清掃用具の斜視図（上面側）である。
【図７】この発明の第２実施形態の清掃用具の、１枚目の粘着シートをめくり取る様子の説明図である。
【図８】この発明の第３実施形態の清掃用具の斜視図（上面側）である。
【発明を実施するための形態】
【００１４】
以下、この発明の好適な実施形態を、図面を参照して説明する。
【００１５】
〔第１実施形態〕
図１〜図４に示したこの発明の第１実施形態の清掃用具は、清掃用具本体１の底面側に装着される複数枚の粘着シート２を積層してなる粘着シート積層体３と、滑りをよくするために粘着シート積層体３の露出した粘着面４の一部を覆うようにした部分カバー材５を有するものとしている。
【００１６】
この清掃用具は、図１、図２に示したように、四角形の板状の清掃用具本体１と、清掃用具本体１の上面側に一端が前後方向に回動可能に取り付けられた柄６を有するものとしている。清掃用具本体１には粘着シート積層体３を担持する粘着シート積層体担持材７が固定され、清掃用具本体１の底面側に位置する粘着シート積層体３の露出した粘着面４が、床面等の清掃対象となる接触面に接触してゴミを捕捉するようにしている。清掃用具本体１の底面側には、ポリウレタン等からなるクッション材１ａを設け、弾力性を持たせるとよい。
【００１７】
清掃用具本体１の上面には、その左右の各前部と後部に、粘着シート積層体担持材７を固定するための固定部８が設けられている。この固定部８は、ジグザグ状や放射状の裂け目として、粘着シート積層体担持材７の端部を挟み込んで保持することができるようにしたものとすることができる。
【００１８】
粘着シート積層体担持材７は、図３、図４に示したように、粘着シート積層体３を、台紙９を介して担持材本体１０に接着させてなるものとしている。粘着シート積層体３は、同一の形状、大きさの３０枚程度の粘着シート２から構成することができる。
【００１９】
各粘着シート２は、四角形状の紙製の基材の表面に粘着剤を塗布することにより、片側に粘着面４を形成したものとすることができる。基材の裏面には剥離処理が施されており、粘着剤は塗布されていない。剥離処理は、フッ素系樹脂やシリコン系樹脂によるものとすることができる。
【００２０】
基材は紙のほか、プラスチックフィルム、布その他の適宜の材料を使用することができる。粘着剤は、ゴム系やアクリル系の粘着剤とすることができる。粘着面４は、基材の片面全域としてもよいが、縁部に粘着剤が塗付されていないドライエッジ部分を設けて剥離しやすくしてもよい。
【００２１】
前記ドライエッジ部分には、通し番号を印刷して（図示せず）、これまで何枚の粘着シート２を使ったのか、あるいは何枚の粘着シート２が残っているのかが分かるようにすることができる。
【００２２】
粘着シート積層体３は、その裏側（使用時に露出しない側）の面が接着剤等により台紙９に接着され、さらに、この台紙９の裏面が接着剤等により担持材本体１０に接着されている。この実施形態では、台紙９は、粘着シート２とほぼ同一の形状、大きさの板紙等からなるものとしている。
【００２３】
担持材本体１０は、四角形のシート状の不織布、布等で形成され、横方向、縦方向ともに粘着シート積層体３より長く、また、横方向の長さは清掃用具本体１とほぼ同じで、縦方向の長さは清掃用具本体１より長くなっており、清掃用具本体１の対向する横方向の辺の側の各上部に回り込ませて、その端部を前記固定部８で保持させるようにしている。
【００２４】
部分カバー材５は、幅１〜２ｃｍ程度の２本の帯で、粘着シート２の粘着面４に対して何回も剥離、接着可能なものとしている。この実施形態では、部分カバー材５は、担持材本体１０の横方向の一方の辺において、中央寄りの左右の各位置に一端が接着剤等により固定され、他端は自由端となっている。
【００２５】
この清掃用具を使用するときは、まず、清掃用具本体１の固定部８に粘着シート積層体担持材７の端部を挟み込ませて固定する。そして、部分カバー材５を清掃用具本体１の底面側において、一端側から対向する横方向の辺に掛け渡し、粘着シート積層体３の露出した粘着面４に接着させ、さらに清掃用具本体１の上部に回り込ませて、その自由端を、粘着シート積層体担持材７の端部と一緒に前記固定部８に挟み込ませて固定する（図２参照）。
【００２６】
このようにして清掃用具本体１に粘着シート積層体担持材７を装着することにより、床面や家具類の表面に付着したゴミを除去するために使用できる状態になる。１枚目の粘着シート２の粘着面４がゴミで覆われて捕捉能力がなくなったときは、固定部８から部分カバー材５の他端を取り外し、使用者の指で１枚目の粘着シート２をめくり取る。そして、その下にあらわれた粘着シート２を、新しい１枚目の粘着シート２として、前述と同様に部分カバー材５を固定して、使用できる状態にする。
【００２７】
この清掃用具は、部分カバー材５により、粘着シート２自体を床面等に対する滑りをよくするための構成とする必要がなく、しかも部分カバー材５は何度も繰り返して利用することができる。
【００２８】
なお、清掃用具は、清掃用具本体１に粘着シート積層体担持材７を装着した状態で１つの商品として販売することができるが、清掃用具本体１と粘着シート積層体担持材７を、それぞれ別売りの商品として単体で販売することができる。特に、粘着シート積層体担持材７は、取替え用として複数個まとめて販売することができる。
【００２９】
〔第２実施形態〕
図５〜７に示す第２実施形態は、清掃用具本体１の底面側に装着される複数枚の粘着シート２を積層してなる粘着シート積層体３と、滑りをよくするために粘着シート積層体３の露出した粘着面４の一部を覆うようにした部分カバー材５を有する点で、第１実施形態と共通の基本構成を有するものである。
【００３０】
この第２実施形態では、粘着シート積層体３は、第１実施形態における粘着シート積層体担持材７に担持させた構成ではなく、清掃用具本体１の底面に接着剤等により直接固定させている。
【００３１】
この第２実施形態における部分カバー材５は、粘着シート積層体３の露出した粘着面４に接着させる第１部分５aと、清掃用具本体１の対向する横方向の辺の側の各上部に回り込ませるようにした第２部分５ｂ、第３部分５ｃからなる。
【００３２】
第１部分５aは、第２部分５ｂと第３部分５ｃとの間に前後方向に延びる３つの細長い片として構成されている。このうち左右の２つの片は、中間箇所が外方（左右方向）に突出した形状にして角部を形成し、ゴミを捕捉し易くしている。部分カバー材５は、全体を布や不織布からなるものとすることができるが、第１部分５aを少し厚みのある布製として、滑り易くすることができる。
【００３３】
清掃用具本体１の上部には、部分カバー材５のための固定部８として、左右に面ファスナーを設けている。これに対応して、部分カバー材５の第２部分５ｂと第３部分５ｃの各裏面には、前記固定部８に係合する係合部材１１として面ファスナーが設けられており、清掃用具本体１への着脱が容易に行えるようになっている。
【００３４】
また、第２部分５ｂの端部に突出した箇所を設けて摘み１２としており、この摘み１２を指で摘んで引っ張ることにより、部分カバー材５の清掃用具本体１からの着脱を容易に行えるようにしている。
【００３５】
さらに、この第２実施形態では、次に説明するように、部分カバー材５を粘着シート積層体３から引き離すと、１枚目の粘着シート２（底面側を上にした場合に最上段となる粘着シート）が、露出した粘着面４で部分カバー材５に接着したまま剥離するようになっている。
【００３６】
すなわち、第１部分５aと粘着シート２の粘着面４との接着状態が、粘着シート２間の接着状態よりも強くなるようにしており、部分カバー材５の第２部分５ｂ又は第３部分５ｃのいずれかを清掃用具本体１の固定部８からはずし、摘み１２を粘着シート積層体３から離れる方向に引っ張っていくと、１枚目の粘着シート２が第１部分５aに接着したまま剥離してめくり取られ、その下にあらわれた粘着シート２が、新しい１枚目の粘着シート２となる。
【００３７】
確実に１枚目の粘着シート２が第１部分５aに接着したまま剥離させられるようにするためには、図示したように、部分カバー材５の第１部分５aを、粘着シート積層体３の露出した粘着面４の中央と左右で、粘着面４に対して全体的にバランスのよい配置で接着させる等の構成とするとよい。また、粘着シート積層体３の各粘着シート２におけるめくり始めとなる側（図７では右側）の縁部を、ドライエッジ部分１３とする等、他の部分より剥離しやすくして、スムーズに剥離できるようにしてもよい。
【００３８】
第１部分５aに接着してめくり取られた前記粘着シート２は、第１部分５aから剥がして廃棄し、前記固定部８からはずした部分カバー材５の第２部分５ｂ又は第３部分５ｃを再び固定部８に固定させれば、使用できる状態となる。１枚目の粘着シート２にゴミが一定量以上付着して使用できなくなったときは、上記のように簡単に１枚目の粘着シート２をめくり取って、新しい１枚目の粘着シート２でゴミ補足できるので、極めて便利である。
【００３９】
また、第１実施形態と同様、部分カバー材５により、粘着シート２自体を床面等に対する滑りをよくするための構成とする必要がなく、しかも部分カバー材５は何度も繰り返して利用できるので、低コスト、省資源での実施が可能である。
【００４０】
〔第３実施形態〕
図８に示す第３実施形態は、清掃用具本体１の底面側に装着される複数枚の粘着シート２を積層してなる粘着シート積層体３と、滑りをよくするために粘着シート積層体３の露出した粘着面４の一部を覆うようにした部分カバー材５を有する点で、第１実施形態と共通の基本構成を有するものである。
【００４１】
この第３実施形態では、粘着シート積層体３は、第１実施形態における粘着シート積層体担持材７に担持させた構成と同様であるが、部分カバー材５は、粘着シート積層体３を構成する各粘着シート２に設けられたものとしている。この部分カバー材５は、細い帯状の紙とし、図示したように短辺方向に適宜間隔を置いて２本設けたものとすることができる。
【００４２】
また、粘着シート積層体３の周囲には、台紙９の周縁部が露出するようにしており、ここにウレタン製等の非粘着の片１４を設けて、床面との滑り具合を調整してもよい。
【００４３】
以上がこの考案の好適な実施形態であるが、この考案は上述の実施形態の構成に限定されるものではなく、形状、寸法、材質等を適宜変更して実施することができる。
【符号の説明】
【００４４】
１  清掃用具本体
２  粘着シート
３  粘着シート積層体
４  粘着面
５  部分カバー材
７  粘着シート積層体担持材
【図１】
2011245270.tif 000003
【図２】
2011245270.tif 000004
【図３】
2011245270.tif 000005
【図４】
2011245270.tif 000006
【図５】
2011245270.tif 000007
【図６】
2011245270.tif 000008
【図７】
2011245270.tif 000009
【図８】
2011245270.tif 000010